(57)【要約】【課題】  スライドジッパを有する側マチ付きバッグを提供する。【解決手段】  ジッパ部材は一端でのみ結合し、ジッパ部材の自由端は分離可能であって、バッグに連結された側マチの反転を可能にして注ぎ口を形成する。ジッパの結合端でジッパフランジは一方のマチパネルおよびバッグ壁の反対部により形成されたコーナに挿入される。他方のマチパネルはジッパフランジの高所で他方のバッグ壁へ封止される。【選択図】      図１
2004231298.tif 000002
【特許請求の範囲】
【請求項１】
第一および第二壁、第一および第二壁を相互に連結するバッグの一側の第一側マチ、ならびに第一および第二壁を相互に連結するバッグの反対側の第二側マチを含み、
第一および第二ジッパ部材を有し、第一ジッパ部材が第一形材閉鎖部材および第一形材閉鎖部材に連結された第一ジッパフランジを有し、かつ第二ジッパ部材がジッパを閉鎖するために第一形材閉鎖部材と係合自在の第二形材閉鎖部材、および第二形材閉鎖部材に連結された第二ジッパフランジを有する可撓性ジッパを含み、
前記ジッパに取付けられ、前記ジッパに沿って第一方向へ移動するときに前記ジッパ部材を閉鎖し、かつ第一方向と反対方向の第二方向へ前記ジッパに沿って移動するときに前記ジッパ部材を開放するスライダを含み、かつ
第一ジッパフランジが第一壁に連結され、かつ第二ジッパフランジが前記第二壁および第一側マチに連結されている、バッグ。
【請求項２】
第一ジッパフランジは第一壁の幅よりも短い長さを有しかつ第一壁の内面に連結されている、請求項１のバッグ。
【請求項３】
第一および第二ジッパ部材のそれぞれの第一端はハードシールにより相互に対して連結され、かつ第一および第二ジッパ部材のそれぞれの第二端はピールシールにより相互に対して連結され、第一および第二ジッパ部材の第一端は第一側マチの近傍にありかつ第二端は第二側マチの近傍にある、請求項１のバッグ。
【請求項４】
第一および第二ジッパ部材のそれぞれの第一端は相互に対して結合され、かつ第一および第二ジッパ部材のそれぞれの第二端は相互に対して結合されず、第一端は第一側マチの近傍にあり、かつ第二端は第二側マチの近傍にある、請求項１のバッグ。
【請求項５】
第一側マチは相互に対して連結された第一および第二マチパネルを含み、第一マチパネルは第二ジッパフランジに連結され、かつ第二マチパネルは第二壁に連結されている、請求項１のバッグ。
【請求項６】
第一側マチの第一および第二マチパネルは第一および第二ジッパフランジの高所で相互に対して結合されている、請求項５のバッグ。
【請求項７】
第二側マチは前記ジッパが部分的または全体的に開放するときに注ぎ口を形成するために反転できる、請求項１のバッグ。
【請求項８】
第一および第二形材閉鎖部材下方の高所で内部を封止するピールシールを更に含む、請求項１のバッグ。
【請求項９】
第二側マチは第一および第二形材閉鎖部材の高所まで延びないが、第一および第二ジッパ部材の第二端が相互に対して係止するときに第一および第二形材閉鎖部材間に捕捉される、請求項４のバッグ。
【請求項１０】
第一ジッパ部材の第二端にスライダ端ストップを更に含み、前記スライダ端ストップは前記スライダが第二端で前記ジッパから引き抜かれるのを阻止する障害物となるように形成されている、請求項１のバッグ。
【請求項１１】
内容積および前記内容積へアクセスするための口部を有する受け部を含み、前記受け部は前記内容積の両側にそれぞれ第一および第二側マチの第一部を含み、前記口部は相互に対して連結可能な第一および第二ジッパ部材、第一および第二側マチの第二部を有するスライダ操作ジッパを含み、第一および第二ジッパ部材は相互に対して結合する第一端および相互に対して結合しない第二端を有し、第二側マチの第二部は第一および第二ジッパ部材の第二端が相互から分離するときに注ぎ口形態に拡張し、第一側マチの第二部は拡張できない構成である、バッグ。
【請求項１２】
第一側マチの第二部は相互に対して結合する第一および第二マチパネルの部を含む、請求項１１のバッグ。
【請求項１３】
第一ジッパ部材は第一ジッパフランジを含み、かつ第二ジッパ部材は第二ジッパフランジを含み、第一マチパネルは第一および第二ジッパ部材の第一端の近傍で第二ジッパフランジに連結されている、請求項１２のバッグ。
【請求項１４】
第一ジッパ部材は第一ジッパフランジを含み、第二ジッパ部材は第二ジッパフランジを含み、かつ前記口部は、更に、第一および第二側マチの第二部によりそれぞれ相互連結された端を有する第一および第二壁を含み、第一ジッパフランジは第一壁に連結され、かつ第二ジッパフランジは第二壁に連結されている、請求項１１のバッグ。
【請求項１５】
第二側マチの第二部は第一および第二ジッパ部材の第二端が分離するときに注ぎ口を形成するために反転できる、請求項１１のバッグ。
【請求項１６】
前記受け部の内部を封止するピールシールを更に含む、請求項１１のバッグ。
【請求項１７】
第一ジッパ部材は第一形材閉鎖部材を含み、第二ジッパ部材は第二形材閉鎖部材を含み、第二側マチの第二部は第一および第二形材閉鎖部材の高所まで延びないが第一および第二ジッパ部材の第二端が相互結合するときに第一形材閉鎖部材と第二形材閉鎖部材との間に捕捉される、請求項１１のバッグ。
【請求項１８】
第一ジッパ部材の第二端上にスライダ端ストップを更に含み、前記端ストップは前記スライダが第二端で前記ジッパから引き出されるのを阻止する障害物となるように形成されている、請求項１１のバッグ。
【請求項１９】
内容積および前記内容積へアクセスするための口部を有する受け部を含み、
前記受け部は前記内容積の両側にそれぞれ第一および第二側マチの第一部を含み、
前記口部は相互に対して係止可能の第一および第二ジッパ部材、ならびに第一および第二側マチのそれぞれの第二部を含むスライダ操作ジッパを含み、
第一および第二ジッパ部材は永久シールにより相互に対して結合する第一端および相互に対してピールシールにより相互に対して結合する第二端を有し、
第二側マチの第二部は前記ピールシールが破壊されるときに注ぎ口形態へ拡張し、かつ第一および第二ジッパ部材の第二端は相互から分離し、
第一側マチの第二部は拡張できない構成である、バッグ。
【請求項２０】
第一および第二側マチにより相互連結する前後壁、前記前壁の幅と同等またはそれよりも短い長さのジッパ、および前記ジッパに取付けたスライダを含み、
前記ジッパは第一および第二ジッパ部材を含み、かつ第一および第二ジッパ部材はそれぞれ第一および第二形材閉鎖部材を含み、
第一および第二側マチのいずれの部分も第一および第二形材閉鎖部材が相互係止するときにその間に捕捉されず、
第一側マチは前記ジッパの一端の近傍で注ぎ口形態に拡張可能であり、かつ
第二側マチは前記ジッパの近傍で注ぎ口形態へ拡張しない構成である、マチ付きバッグ。
【請求項２１】
第一ジッパ部材は前記前壁の内面に連結され、かつ第二ジッパ部材は前記後壁の内面に連結されている、請求項２０のマチ付きバッグ。
【請求項２２】
前記ジッパの下方で高所に前記バッグを封止するピールシール手段を更に含む、請求項２０のマチ付きバッグ。
【発明の詳細な説明】
【技術分野】
【０００１】
本発明は、概ね、再閉鎖可能ポーチ、バッグまたは他のパッケージに使用するスライダ操作による可撓性ジッパに関する。
【背景技術】
【０００２】
再閉鎖可能ファスナ組立体は、熱可塑性プラスチックポーチを封鎖するのに有用である。かかるファスナ組立体は、しばしば、プラスチックジッパおよびスライダを含む。代表例として、プラスチックジッパはクロージャを形成する一対の相互係止可能ファスナ要素または形材（profiles)を含む。スライダが形材上を移動するときに、形材は開放または閉鎖する。プラスチックジッパにおける形材は種々の形態を採り、例えば、所謂雄雌形材を形成する相互係止リブおよび溝要素、相互係止交互フック形閉鎖部材等がある。
【０００３】
従来スライダ操作ジッパ組立体、即ちスライドジッパ組立体またはスライドファスナ組立体は典型的には二つの相互係止形材、およびジッパを開閉するスライダを有するプラスチックジッパを含む。一タイプのスライドジッパ組立体において、スライダはジッパに跨がり、かつ形材間に挿入される分離フィンガを一端に有し、スライダが開放方向へジッパに沿って移動するときに形材を付勢して分離させる。スライダの他端は形材を係合するために狭くかつスライダが閉鎖位置へジッパに沿って移動するときにジッパを閉鎖する。
【０００４】
他のタイプのスライドジッパ組立体は、分離フィンガの使用を回避する。例えば、米国特許第５，８０９，６２１号は、一方のジッパ形材がスライダと共働する一対のハンドルを有するスライドジッパ組立体を開示する。スライダが開放方向へ移動するときに、ハンドルは共に圧搾されて形材の係合を解除する。米国特許第５，４４２，８３８号に開示のスライダ操作ジッパ組立体において、ジッパ形材は「ローリングアクション」工程で係合および離脱する。この「ローリングアクション」は形材上のフランジと、スライダのアームから内方へ突出するショルダとの間の共働により達成されるものとして記載されている。米国特許第６，０４７，４５０号は、一対の相互係止可能形材構造体を含むジッパを開示する。二つの形材構造体の部材は支点を形成し、ベースの下エッジが相互方向へ付勢されるときに、この支点を中心に形材構造体が軸回転して係合から離脱する。
【０００５】
プラスチックジッパを有するマチ付きバッグは、再閉鎖可能パッケージ業界において周知である。かかるマチ付きバッグの利点は、バッグがより完全に開放してバッグの充填を促進し、かつ後の内容物の取り出しを容易にすることである。或る設計において、バッグのマチ付き側部はマチを外方へ引っ張りかつバッグを倒すことにより注ぎ口を形成するために使用でき、かかる場合にパッケージの注出可能内容物はマチ付きパネルにより形成されるＶ形チャンネルから下へ流れ出るように形成されてよい。
【０００６】
かかるバッグの初期コンセプトでは、プラスチックジッパの形材は、パッケージが閉鎖されたときにマチを収容するためにバッグフィルムの二倍の厚みを捕捉することのできる十分に大きいものでなければならなかった。マチ付きバッグのその後の設計はバッグ壁の残部と比較して相対的に薄い厚みの相互係止ジッパ形材に整合する部を含む側マチを有する。
【０００７】
米国特許第６，３２５，５４３号はマチ付きバッグを開示し、このバッグでは、キャリア細片上のジッパ形材がバッグ内側に取付けられている。キャリア細片の形材無し部はバッグ口の領域内でマチ側部の一部を形成する。マチはバッグの両端で開放でき、いずれかの端で注ぎ口を提供するか、または一端で共に封鎖されて反対端で注ぎ口を提供してよい。バッグおよびマチの前後壁は形材を相互係合することにより、また相互係止形材間のマチの形材無し領域を捕捉することにより共に結合される。米国特許第６，３２５，５４３号はスライダによりジッパを操作することを開示していない。
【０００８】
米国特許第６，１８６，６６３号はスライダによりジッパを操作するマチ付きバッグの形態を開示する。スライダは、折り畳まれたときにマチがスライダの作動を干渉しないように構成される。従って、開示された形態は分離フィンガを有しないスライダを採用する。ジッパがスライダにより閉鎖するときに、マチの上部は折り畳まれかつ相互係止ジッパ形材間に捕捉される。端ストップは、ジッパの端からスライダが滑走するのを阻止するためにジッパ部材の外側に設けられている。ジッパが完全に開放するときにスライダが停止するパッケージの端で、マチは常時折り畳まれる。結果として、そのパッケージ口の端は、ジッパの領域においてパッケージのマチ付き側が拡張しないので、広く開口することができない。しかし、これは「パッケージマチの拡張、特にパッケージの底に向かっての拡張を殆どまたは全く干渉しない」ものである。
【０００９】
折り畳んだマチの部分がジッパ形材間に捕捉されず、それによりスライダの滑走路全体にわる平滑かつ均一な滑走を可能にするスライダ操作ジッパを有するマチ付きバッグの他の設計に対するニーズが存在する。
【００１０】
【特許文献１】米国特許第６，１８６，６６３号、米国特許第６，３２５，５４３号、米国特許第６，０４７，４５０号、米国特許第５，４４２，８３８号、米国特許第５，８０９，６２１号、
【発明の開示】
【発明が解決しようとする課題】
【００１１】
本発明はスライダ操作ジッパを有する側マチ付きバッグまたはポーチの構造体を提供することを課題とする。
【課題を解決するための手段】
【００１２】
本発明の第一形態によるバッグは、第一および第二壁、第一および第二壁を相互に連結するバッグの一側の第一側マチ、ならびに第一および第二壁を相互に連結するバッグの反対側の第二側マチを含み、第一および第二ジッパ部材を有し、第一ジッパ部材が第一形材閉鎖部材および第一形材閉鎖部材に連結された第一ジッパフランジを有し、かつ第二ジッパ部材がジッパを閉鎖するために第一形材閉鎖部材と係合自在の第二形材閉鎖部材、および第二形材閉鎖部材に連結された第二ジッパフランジを有する可撓性ジッパを含み、前記ジッパに取付けられ、前記ジッパに沿って第一方向へ移動するときに前記ジッパ部材を閉鎖し、かつ第一方向と反対方向の第二方向へ前記ジッパに沿って移動するときに前記ジッパ部材を開放するスライダを含み、かつ第一ジッパフランジが第一壁に連結され、かつ第二ジッパフランジが前記第二壁および第一側マチに連結されている。
【００１３】
本発明による他の形態のバッグは、内容積および前記内容積へアクセスするための口部を有する受け部を含み、前記受け部が前記内容積の両側にそれぞれ第一および第二側マチの第一部を含み、前記口部が相互に対して連結可能な第一および第二ジッパ部材、第一および第二側マチの第二部を有するスライダ操作ジッパを含む。この場合に、第一および第二ジッパ部材は相互に対して結合する第一端および相互に対して結合しない第二端を有する。第二側マチの第二部は第一および第二ジッパ部材の第二端が相互から分離するときに注ぎ口形態に拡張し、他方、第一側マチの第二部は拡張できない構成である。
【００１４】
本発明による他の形態のバッグは、内容積および前記内容積へアクセスするための口部を有する受け部を含み、前記受け部は前記内容積の両側にそれぞれ第一および第二側マチの第一部を含み、前記口部は相互に対して係止可能の第一および第二ジッパ部材、ならびに第一および第二側マチのそれぞれの第二部を含むスライダ操作ジッパを含む。この場合に、第一および第二ジッパ部材は永久シールにより相互に対して結合する第一端および相互に対してピールシールにより相互に対して結合する第二端を有する。第二側マチの第二部は前記ピールシールが破壊されるときに注ぎ口形態へ拡張し、かつ第一および第二ジッパ部材の第二端は相互から分離し、他方、第一側マチの第二部は拡張できない構成である。
【００１５】
更に、本発明の他の形態によるマチ付きバッグは、第一および第二側マチにより相互連結する前後壁、前記前壁の幅と同等またはそれよりも短い長さのジッパ、および前記ジッパに取付けたスライダを含み、前記ジッパは第一および第二ジッパ部材を含み、かつ第一および第二ジッパ部材はそれぞれ第一および第二形材閉鎖部材を含み、第一および第二側マチのいずれの部分も第一および第二形材閉鎖部材が相互係止するときにその間に捕捉されず、第一側マチは前記ジッパの一端の近傍で注ぎ口形態に拡張可能であり、かつ第二側マチは前記ジッパの近傍で注ぎ口形態へ拡張しない構成である。
【００１６】
好適形態において、第一ジッパフランジは第一壁の幅よりも短い長さを有しかつ第一壁の内面に連結されている。
【００１７】
好適形態において、第一および第二ジッパ部材のそれぞれの第一端はハードシールにより相互に対して連結され、かつ第一および第二ジッパ部材のそれぞれの第二端はピールシールにより相互に対して連結され、第一および第二ジッパ部材の第一端は第一側マチの近傍にありかつ第二端は第二側マチの近傍にある。
【００１８】
好適形態において、第一および第二ジッパ部材のそれぞれの第一端は相互に対して結合され、かつ第一および第二ジッパ部材のそれぞれの第二端は相互に対して結合されず、第一端は第一側マチの近傍にあり、かつ第二端は第二側マチの近傍にある。
【００１９】
好適形態において、第一側マチは相互に対して連結された第一および第二マチパネルを含み、第一マチパネルは第二ジッパフランジに連結され、かつ第二マチパネルは第二壁に連結されている。
【００２０】
好適形態において、第一側マチの第一および第二マチパネルは第一および第二ジッパフランジの高所で相互に対して結合されている。
【００２１】
好適形態において、第二側マチは前記ジッパが部分的または全体的に開放するときに注ぎ口を形成するために反転できる構成である。
【００２２】
好適形態において、第一および第二形材閉鎖部材下方の高所で内部を封止するピールシールを更に含む。
【００２３】
好適形態において、第二側マチは第一および第二形材閉鎖部材の高所まで延びないが、第一および第二ジッパ部材の第二端が相互に対して係止するときに第一および第二形材閉鎖部材間に捕捉される。
【００２４】
好適形態において、第一ジッパ部材の第二端にスライダ端ストップを更に含み、前記スライダ端ストップは前記スライダが第二端で前記ジッパから引き抜かれるのを阻止する障害物となるように形成されている。
【００２５】
好適形態において、第一側マチの第二部は相互に対して結合する第一および第二マチパネルの部分を含む。
【００２６】
好適形態において、第一ジッパ部材は第一ジッパフランジを含み、かつ第二ジッパ部材は第二ジッパフランジを含み、第一マチパネルは第一および第二ジッパ部材の第一端の近傍で第二ジッパフランジに連結されている。
【００２７】
好適形態において、第一ジッパ部材は第一ジッパフランジを含み、第二ジッパ部材は第二ジッパフランジを含み、かつ前記口部は、更に、第一および第二側マチの第二部によりそれぞれ相互連結された端を有する第一および第二壁を含み、第一ジッパフランジは第一壁に連結され、かつ第二ジッパフランジは第二壁に連結されている。
【００２８】
好適形態において、第二側マチの第二部は第一および第二ジッパ部材の第二端が分離するときに注ぎ口を形成するために反転できる。
【００２９】
選択により、前記バッグは、前記受け部の内部を封止するピールシールを更に含んでよい。
【００３０】
好適形態において、第一ジッパ部材は第一形材閉鎖部材を含み、第二ジッパ部材は第二形材閉鎖部材を含み、第二側マチの第二部材は第一および第二形材閉鎖部材の高所まで延びないが第一および第二ジッパ部材の第二端が相互結合するときに第一形材閉鎖部材と第二形材閉鎖部材との間に捕捉される構成である。
【００３１】
好適形態において、第一ジッパ部材の第二端上にスライダ端ストップを更に含み、前記端ストップは前記スライダが第二端で前記ジッパから引き出されるのを阻止する障害物となるように形成されている。
【００３２】
好適形態において、第一ジッパ部材は前記前壁の内面に連結され、かつ第二ジッパ部材は前記後壁の内面に連結されている。
【００３３】
好適形態において、前記ジッパの下方で高所に前記バッグを封止するピールシール手段を更に含む。
【発明を実施するための最良の形態】
【００３４】
以下、図面を参照して説明する。異なる図面において、同一要素は同一参照番号が付されている。
【００３５】
本発明の一形態によれば、一端にのみ永久的に取付けたスライダ操作ジッパは側マチ付きバッグの口に設置されている。ジッパを永久的に取付けた端で、隣接する側マチの上部は閉鎖封止されて拡張不可能であり、ジッパの他端でジッパ部材のそれぞれの端は分離可能でありかつ隣接する側マチの上部は注ぎ口を形成するために反転させることができる。ジッパフランジが側マチ付きバッグの前後壁の内面に封止され、バッグの上縁上方に設置されたジッパ閉鎖部材を有する。結果として、側マチは閉鎖形材間に捕捉されず、スライダの円滑操作を干渉しない。ジッパ部材はバッグの前後壁の幅と略同一またはそれよりも短い。
【００３６】
上記形態によるマチ付き再閉鎖可能バッグ１０は図１および２に示されている。バッグ１０は底１６から上方に延びた第一壁１２および第二壁１４を含む。底１６は第一壁１２および第二壁１４に反対縁で連結された壁として示されている。選択的に、底１６は第一および第二壁を相互に対して結合する永久クロスシール(cross seal)である。第一壁１２と第二壁１４は、一対の拡張側マチ１８，２０を介してパッケージの両側で連結されている。第一壁１２および第二壁１４は、各々、更に、拡張側マチ１８および２０により相互に対して連結された対向自由端部２２および２４を含む。第一壁１２および第二壁１４、ならびに側マチ１８および２０は、フィンシール（fin seal)を形成するために結合される重合した長手縁を有する管状形態にラップされるバッグ形成フィルムのウエブから形成できる。バッグの第一および第二壁は、低密度ポリエチレン、エチレンおよびＣ３−Ｃ８αオレフィンの実質的リニアコポリマー、ポリプロピレン、ポリ塩化ビニリデン、これらのポリマーの二つまたはそれ以上の混合物、これらのポリマーの一つと他の熱可塑性ポリマーの混合物等の種々のタイプの熱可塑性材料で形成できる。当業者はこのリストの適宜材料が完全でないことを理解するであろう。
【００３７】
バッグ１０は、その上端に開放自在口を有し、その内側に押し出し成形プラスチックジッパ２６を有する。ジッパ２６は一対の相互係止可能ファスナ細片またはジッパ半割部２８および３０を含む。ジッパ半割部２８および３０の形材はいずれの形態を採ってもよい。例えば、ジッパは相互係止リブおよび溝要素、または交互係止フック形閉鎖部材を含んでよい。好適ジッパ材料はポリエチレンである。
【００３８】
図１に示された形態によれば、ジッパ部材２８および３０はそれぞれ対峙する自由端部２２および２４の内側に位置決めされ、かつ伝導ヒートシール、接着剤塗布、または接着細片の活性化により、それらの自由端部の上エッジに結合される。この形態のジッパは自由端部の幅と同一またはそれよりも若干短い長さである。結合目的から、各ジッパ半割部はそれぞれ延長フランジを有してよく、それに対してそれぞれの自由端部が結合される。図１の形態において、第一ジッパ部材２８の延長フランジ３２は、従来ヒートシールにより壁１２の自由端部の内面に封止されて、他方、第二ジッパ部材３０の延長フランジ３４は壁１４の自由端部２４の内面に封止される。マチ１８または２０のいずれの部分も、ジッパ２６が閉鎖されるときに、形材に成形された閉鎖部材間に捕捉されない。従って、ジッパ部材は、形材閉鎖部材が閉鎖および開放時で係合および離脱するときにパッケージの全幅にわたって均等に応答する。更に、形材閉鎖部材はバッグフィルムの薄い領域を形材閉鎖部材間へ捕捉させる十分な許容誤差をもって設計される必要はない。
【００３９】
ジッパ部材２８および３０は同一長さを有しかつ高強力ヒートシールにより一端で融合し、他方、ジッパ部材の他端はバッグが一旦開放した後には図２に示されたように、相互に対して結合しない。選択的に、バッグを第一開放する前には、ジッパ部材の他端がジッパ部材の未融合端の不本意な開放に抵抗しかつタンパ証明を提供するピールシール（peel seal)（図示せず）により結合されてよい。
【００４０】
ジッパ部材２８および３０は従来スライダ３８の操作により選択により係合または離脱する。スライダ３８は、概ね、ジッパ部材を跨ぐように形成される。スライダの両端はジッパ部材の通過を可能にするために開放する。スライダは複数部材を共に溶接することにより形成されてよく、またその部材は共にスナップ式に係止するように構成されてよい。スライダはワンピース構成であってもよい。スライダは任意所望法、例えば、射出成形により形成されてよい。スライダは、ナイロン、ポリプロピレン、ポリスチレン、アセタール、ポリケトン、ポリブチレンテレフタレート、高密度ポリエチレン、ポリカーボネートまたはＡＢＳ等の任意適宜プラスチックから成形できる。
【００４１】
ジッパおよびスライダを装備したバッグは、スライダが閉鎖位置または完全開放位置に達したときに、スライダがジッパの端から滑走するのを阻止するための手段、端ストップ等を含むのが好ましい。かかる端ストップは典型的にはジッパの端からスライダが滑り出るのを阻止するストッパとして作用し、かつバッグの通常使用を通して形材に加わる応力に対してバッグが開放するのを阻止するために二つのジッパ形材を保持する、二重の機能を遂行する。端ストップは、例えば、ジッパ形材それ自体のストンプ（stomped）領域、リベット締め端クランプ、ジッパに融合したプラスチック端クリップ、成形端ポスト、ＵＶ硬化プラスチック、または他の任意適宜構造であってよい。ジッパの結合端で、ストンプ端ストップは、端ストップが湧昇するプラスチック材料により形成されるように、スライダ停止位置の近傍で共に融合されかつ変形した形材のセクションであってよい。ストンプは、例えば、加熱かつ／または加圧、または超音波法を使用して形成できる。
【００４２】
図１および２に示された形態によれば、ジッパ部材の結合端は端ストップ４０を有し、ジッパ部材２８の無結合端は端ストップ４２を有し、かつジッパ部材３０の無結合端は端ストップ４４を有する。端ストップ４０はジッパ完全開放位置（図示せず）でスライダ３８を停止させ、他方、端ストップ４２および４４はジッパ完全閉鎖位置（図１に図示せず）でスライダを停止させるように結合される。端ストップ４０、４２および４４を形成する好適方法は超音波彫刻法による。好適には、溶融プラスチック材料の塊を上方へ流するようにジッパ部材の上部のみが彫刻され、かつ端ストップでスライダの引っ張り抵抗を最大にするために、ジッパ部材の下部またはレール部を傷つけないで完全な形態で維持する。
【００４３】
このようにして、スライダ３８はいずれの方向へもジッパ２６に沿って滑走でき、ジッパの両端に設置された端ストップによってスライダ運動に制限を伴う。スライダが図１に示された位置から左方向に端ストップ４２および４４と当接する位置へ移動するときに、ジッパはスライダの内側の一点から端ストップ４０まで閉鎖する。逆に、スライダが反対方向へ、即ち、図１に示された位置へ戻るときに、ジッパ部材２８および３０はスライダの左側まで完全に分離する。端ストップ４２および４４が位置するジッパ部材２８および３０のそれぞれの端が結合されないので、ジッパ部材２８および３０の各端は分離しかつ介在する側マチが拡張して消費者によるマチ付きバッグ１０の内部への更なるアクセスを可能にする。
【００４４】
選択により、バッグは、両壁１２，１４を結合するピールシール（図１参照）、および水平バンド形ゾーンまたはセクションに沿った側マチ１８，２０を更に含む。選択的に、ピールシールはジッパフランジ間でその全長に沿って形成されてよい。ピールシール３６の一つの目的は、ジッパ線下方で所定レベルにあるバッグの内容物を滅菌封止することである。ピールシール３６の他の目的は、パッケージの内容物のタンパ証明をすることである。この場合に、バッグ１０を開放するために、ユーザはジッパを簡単に滑らせ開放し、ジッパ部材２８および３０の自由端部を握ってピールシール３６が壊れるまでそれらを引っ張って分離させる。
【００４５】
ジッパ２６が完全に開放しかつピールシール３６が破壊された後に、ジッパ部材の分離端に隣接して内方へ折り曲げたマチ２０（図１に示されたように）は図２に示されたように反転させて、バッグの内容物を注ぎ出すための注ぎ口５０を形成できる。この形態において、マチ２０は中央折り線６２に沿ってマチパネル４８に連結されたマチパネル４６を含む。中央折り線６２の反対側に、マチパネル４６が折り線６４により前壁１２へ連結されている。同様に、マチパネル４８は折り線６６により後壁１４へ連結されている。選択的に、マチ２０は前壁１２および後壁１４のエッジにサイドシールされたバッグフィルムの分離折り曲げ片であってよい。この構造は図面に示されていない。
【００４６】
図１および２の図示形態は垂直形状充填シール（VFFS)機上で製造できる。この方法は、スライダを取付けたジッパの予め測定した細片を、供給ロールとＶＦＦＳ機のカラーとの間に伸張して水平に設置したバッグ形成フィルムのウエブ上へ設置することにより開始する。このようなスライダ−ジッパ細片を、ＶＦＦＳ機を横切る方向へ供給し、底ジッパフランジを伸張したフィルムの上面を横切って概ねフラットに載置する。ジッパの先端を開放し、かつ後端を閉鎖する。ジッパのセクションを細片の端から切断し、かつバッグ形成フィルムに隣接するジッパフランジを伝導性ヒートシールによりフィルムに取付け、例えば、フィルムの下に加熱したシールバーを設置しかつ未加熱シールを上ジッパフランジ上方に設置することによりヒートシールする。切断前に端ストップは切断部の後端に形成され、切断前に形成されたストップを具備する。スライダ-ジッパ組立体を取付けたフィルムは一つのパッケージ長を徐々に増量しながら断続的に前進する。ジッパの開放端におけるジッパ部材上の個別端ストップは、ジッパ付与ステーションの後でカラーの前に、またはジッパがフィルムに取付けられる前に、存在するステーションで形成される。
【００４７】
バッグ形成フィルムのウエブはカラー上を滑走して管の形成を開始するときに、ジッパの開放端は拡開する傾向がある。フィルムは管状に形成され、次に重ねたエッジに沿って長手方向に封止される。フィルムの形成管は、更に、クロスシールされて底シールを形成し、かつ充填管を介して供給される製品で充填される。充填管はマチ形成リセスを有する。一対のマチ形成バーがそのフィルムを充填管の両側のマチ形成リセスへ向けて内方へ押圧する。充填管は、フィルムが充填管の下へ移動するときに形成される隣接マチの他側へ取付け前のジッパフランジの自由端を案内するガイドを有するように設計される。換言すれば、形成されるマチはジッパフランジの自由端間を通る。製造のこの工程の終了は図３に概略的に示されており、図３は、ジッパフランジがそのようにして設置されることを示すものであり、ジッパ形材がマチパネルと対峙する壁部との間に位置することを示すと解釈されるべきでない。
【００４８】
未取付けジッパフランジの自由端が適正位置になると、未取付けジッパフランジはジッパの全幅に沿ってバッグ形成フィルムの隣接部へクロスシールされる。この例において、未取付けジッパフランジは後壁１４の隣接部およびマチパネル６８の隣接部へ封止される。バッグ形成フィルムにおける引き裂き抵抗を弱めた予備形成ラインは、スライダおよびジッパを露出させるためにそのフィルム部分の除去を可能にする。かかる露出は図１および２で観察できる。
【００４９】
図３を参照すると、先駆パッケージが、未取付けジッパ部材３０の自由端がマチパネル４８および後壁１４の隣接部により形成された角度を付けたコーナ内の位置に案内された後の状態で示されている。ジッパ部材２８のジッパフランジは前壁１２へ取付けられている。取付けたジッパ部材２８の自由端はマチパネル４６および前壁１２の隣接部により形成された角度付きコーナ内に位置し、かつジッパ部材２８と３０の結合端はマチパネル６８および前壁１２の隣接部により形成された角度付きコーナに位置する。
【００５０】
図３に示された工程に続いて、未取付けジッパ部材３０のジッパフランジはマチパネル６８および後壁１４の対向部へ、例えば、一対のシーリングバーを用いて、後壁１４と接触するバーを加熱し、クロスシールすることにより、取付けられる。同時に、マチパネル６８はジッパ部材３０のジッパフランジにヒートシールされ、マチパネル７０はマチパネル６８と隣接する後壁１４との間に挟まれ、三層のサンドイッチフィルムとジッパフランジの全てが共に封止され、それによりジッパフランジの領域においてマチパネル６８および７０により形成された側マチ１８を折り畳む（図３に図示せず）。ジッパ部材２８および３０の他端は無結合で維持され、そのようにしてパネル４６および４８により形成された側マチ２０が注ぎ口形態へ自由に拡張および反転するようにする。
【００５１】
マチパネル６８および７０の上部を共にシールすることは、受器が製品で充填されるときに拡張すべきマチの下部の能力を減じるものでない。ただし、マチパネル６８および７０の上部を共に結合することは必ずしも本発明の実施に必要ではない。例えば、マチパネル７０の上部が後壁１４の隣接部に結合され、かつマチパネル６８がジッパ部材３０のジッパフランジの隣接部に結合され、ジッパ部材３０のジッパフランジの残部が後壁１４に結合されれば十分である。
【００５２】
本発明を種々の形態を参照して説明したが、当業者には種々の変更が可能であり、かつ本発明の範囲を逸脱することなく要素について更に変更が可能であることは理解されるであろう。更に、多くの改変が本発明の実質的範囲から逸脱することなく本発明の教示に特定の状況を適用することにより可能である。従って、本発明は本発明の実施を可能にすることを意図した最良形態として開示した特定形態に限定されることなく、特許請求の範囲に記載に含まれる全形態を含む。
【００５３】
特許請求の範囲で使用された、動詞「連結」または「結合」は、加熱かつ／または加圧、超音波エネルギの付与、接着剤層の付与、ピールシール材、または接合剤の付与、接着剤または接合細片の介在等いずれかによる融合、接合、シールもしくは封止、または接着を意味する。
【図面の簡単な説明】
【００５４】
【図１】本発明の一形態によるスライダ操作ジッパを有する再閉鎖可能マチ付きバッグの斜視図である。
【図２】一つのマチの一部が注ぎ口を形成するために拡張した図１のマチ付きバッグの斜視図である。
【図３】バッグ形成フィルムへジッパの両端を封鎖する直前で製造の中間工程における図１のマチ付きバッグの先駆体の上面図である。
【符号の説明】
【００５５】
１０…バッグ
１２…第一壁または前壁
１４…第二壁または後壁
１８，２０…側マチ
２８，３０…ジッパ部材またジッパ半割部
３８…スライダ
４０，４２，４４…端ストップ
４６，４８…マチパネル
６８，７０…マチパネル
【図１】
2004231298.tif 000003
【図２】
2004231298.tif 000004
【図３】
2004231298.tif 000005